(57)【要約】【課題】腕等の挿入がしやすく、しかも適正な位置に腕等をセットできる血圧計を提供する。【解決手段】上面または側面が開口しその開口面から腕Ｍを中に挿入し得る半円筒状のベースハウジング３と、不使用時にベースハウジングに沿って収容され、使用時にベースハウジング３の周方向に沿ってスライドして、自身の先端１０ａがベースハウジングの周方向の基端部３ａに到達することにより、前記開口面を閉じてベースハウジングと共に円筒状のハウジング５を形成する半円筒状の可動ハウジング１０と、可動ハウジングのスライド方向の先端に自身の先端部１２ａが固定され、中間部が拡径方向に弾性付勢されることで可動ハウジングの内周に沿って湾曲状に配されると共に、基端部１２ｂがベースハウジングの基端部の近傍に血圧測定時に固定されるカフ帯１２と、を具備する。【選択図】図１
2006305142.tif 000002
【特許請求の範囲】
【請求項１】
上面または側面が開口しその開口面から腕等の被測定部位を中に挿入し得る半円筒状のベースハウジングと、
不使用時に前記ベースハウジングに沿って収容され、使用時にベースハウジングの周方向に沿ってスライドして、自身の先端がベースハウジングの周方向の基端部に到達することにより、前記開口面を閉じてベースハウジングと共に円筒状のハウジングを形成する半円筒状の可動ハウジングと、
前記可動ハウジングのスライド方向の先端に自身の先端部が固定され、中間部が拡径方向に弾性付勢されることで前記可動ハウジングの内周に沿って湾曲状に配されると共に、基端部が前記ベースハウジングの基端部の近傍に予め固定されるか、または、少なくとも血圧測定時に固定されるカフ帯と、
を具備することを特徴とする血圧計。
【請求項２】
請求項１に記載の血圧計であって、
前記カフ帯の基端部に、前記ベースハウジング内部へのカフ帯の必要長の繰り出しを可能にする繰り出し代を確保し、その繰り出し代を前記ベースハウジングの基端部の近傍を経由してベースハウジング外部に引き出し、その引き出し端に、前記繰り出し方向と反対方向にカフ帯を引っ張ることでカフ帯に引張力を作用させる引張機構を設け、さらに、前記引張機構による繰り出し代以上のカフ帯のベースハウジング外部への引き出しを制限するストッパと、血圧測定時に必要な分だけ繰り出した長さの位置でカフ帯の基端部をロックするロック手段とを設けたことを特徴とする血圧計。
【請求項３】
請求項２に記載の血圧計であって、
前記カフ帯の中間部に、該中間部を拡径方向に弾性付勢する手段として、可撓性シートよりなるカフスプリングをカフ帯の外周側に位置させて設け、そのカフスプリングの基端部に、前記ベースハウジング外部への繰り出し代以上の引き出しを制限する前記ストッパを設けたことを特徴とする血圧計。
【請求項４】
請求項２または３に記載の血圧計であって、
前記ロック手段は、前記可動ハウジングを閉位置にロックするハウジングロック機構に連動してカフ帯の基端部をロックするものであることを特徴とする血圧計。
【請求項５】
請求項２〜４のいずれかに記載の血圧計であって、
前記ベースハウジングの側面が開口し、ベースハウジングの内底部に前記腕等の被測定部位を載せる載せ台が設けられており、その載せ台の下側を通して、前記カフ帯の基端部に確保した繰り出し代に相当する部分が、前記ベースハウジングの外部に引き出されていることを特徴とする血圧計。
【請求項６】
請求項１〜５のいずれかに記載の血圧計であって、
前記ベースハウジングに、前記可動ハウジングのスライドをガイドするガイドレールが設けられていることを特徴とする血圧計。
【請求項７】
請求項１〜６のいずれかに記載の血圧計であって、
前記可動ハウジングを開閉駆動するためのモータを備えることを特徴とする血圧計。
【請求項８】
請求項７に記載の血圧計であって、
前記モータの回転を前記可動ハウジングの周方向のスライド動作に変換するための手段として、ウォーム歯車機構が使用されており、該ウォーム歯車機構が、前記可動ハウジングを閉位置にロックするハウジングロック機構を兼ねていることを特徴とする血圧計。
【発明の詳細な説明】
【技術分野】
【０００１】
本発明は、腕の挿入がたやすくできる新規な形式（アームオン式）の血圧計に関するものである。
【背景技術】
【０００２】
従来、被験者が腕を円筒状のハウジングの中に通して、スイッチをオンすると、自動的にカフ帯が腕に巻き付いて、血圧の測定が始まる自動血圧計（アームイン式の血圧計）が知られている（特許文献１、２参照）。
【０００３】
【特許文献１】特開２００４−２５４８８２号公報
【特許文献２】特開２０００−１０７１４０号公報
【発明の開示】
【発明が解決しようとする課題】
【０００４】
ところが、円筒状のハウジングの中に腕を通す形式は、狭い穴の中に腕を通すため通しづらいという問題がある。また、どの程度腕を入れたか見えないため、適正な位置にセットできないことがある。
【０００５】
本発明は、上記事情を考慮し、腕等の被測定部位を挿入しやすく、しかも適正な位置にセットできる血圧計を提供することを目的とする。
【課題を解決するための手段】
【０００６】
請求項１の発明は、上面または側面が開口しその開口面から腕等の被測定部位を中に挿入し得る半円筒状のベースハウジングと、不使用時に前記ベースハウジングに沿って収容され、使用時にベースハウジングの周方向に沿ってスライドして、自身の先端がベースハウジングの周方向の基端部に到達することにより、前記開口面を閉じてベースハウジングと共に円筒状のハウジングを形成する半円筒状の可動ハウジングと、前記可動ハウジングのスライド方向の先端に自身の先端部が固定され、中間部が拡径方向に弾性付勢されることで前記可動ハウジングの内周に沿って湾曲状に配されると共に、基端部が前記ベースハウジングの基端部の近傍に予め固定されるか、または、少なくとも血圧測定時に固定されるカフ帯と、を具備することを特徴とする。
【０００７】
請求項２の発明は、請求項１に記載の血圧計であって、前記カフ帯の基端部に、前記ベースハウジング内部へのカフ帯の必要長の繰り出しを可能にする繰り出し代を確保し、その繰り出し代を前記ベースハウジングの基端部の近傍を経由してベースハウジング外部に引き出し、その引き出し端に、前記繰り出し方向と反対方向にカフ帯を引っ張ることでカフ帯に引張力を作用させる引張機構を設け、さらに、前記引張機構による繰り出し代以上のカフ帯のベースハウジング外部への引き出しを制限するストッパと、血圧測定時に必要な分だけ繰り出した長さの位置でカフ帯の基端部をロックするロック手段とを設けたことを特徴とする。
【０００８】
請求項３の発明は、請求項２に記載の血圧計であって、前記カフ帯の中間部に、該中間部を拡径方向に弾性付勢する手段として、可撓性シートよりなるカフスプリングをカフ帯の外周側に位置させて設け、そのカフスプリングの基端部に、前記ベースハウジング外部への繰り出し代以上の引き出しを制限する前記ストッパを設けたことを特徴とする。
【０００９】
請求項４の発明は、請求項２または３に記載の血圧計であって、前記ロック手段は、前記可動ハウジングを閉位置にロックするハウジングロック機構に連動してカフ帯の基端部をロックするものであることを特徴とする。
【００１０】
請求項５の発明は、請求項２〜４のいずれかに記載の血圧計であって、前記ベースハウジングの側面が開口し、ベースハウジングの内底部に前記腕等の被測定部位を載せる載せ台が設けられており、その載せ台の下側を通して、前記カフ帯の基端部に確保した繰り出し代に相当する部分が、前記ベースハウジングの外部に引き出されていることを特徴とする。
【００１１】
請求項６の発明は、請求項１〜５のいずれかに記載の血圧計であって、前記ベースハウジングに、前記可動ハウジングのスライドをガイドするガイドレールが設けられていることを特徴とする。
【００１２】
請求項７の発明は、請求項１〜６のいずれかに記載の血圧計であって、前記可動ハウジングを開閉駆動するためのモータを備えることを特徴とする。
【００１３】
請求項８の発明は、請求項７に記載の血圧計であって、前記モータの回転を前記可動ハウジングの周方向のスライド動作に変換するための手段として、ウォーム歯車機構が使用されており、該ウォーム歯車機構が、前記可動ハウジングを閉位置にロックするハウジングロック機構を兼ねていることを特徴とする。
【発明の効果】
【００１４】
請求項１の発明によれば、腕等の被測定部位（以下、代表して「腕」で説明する）を半円筒状のベースハウジングの上面または側面の開口から中に挿入し、可動ハウジングをスライドさせてベースハウジングの開口を閉じれば、その動作によって同時にカフ帯を腕に適正に巻き付けることができる。従って、最初から円筒状になったハウジングの貫通孔に腕を通す場合と比べて、腕を挿入しやすい。また、例えば、従来のように円筒状のハウジングに腕を通す場合、腕の途中が太いために奥まで挿入できないことがあり得るが、本発明は、開いた状態のベースハウジングに腕をセットしてから可動ハウジングを閉じる形式であるため、途中の太さに関係なく腕を挿入できる。また、開放した状態でベースハウジングに腕を挿入できるから、上から見ながら腕の位置を決めることができ、その状態で可動ハウジングを閉じることにより、測定するのに最も適切な位置に腕をセットすることができる。
【００１５】
請求項２の発明によれば、カフ帯の基端部に繰り出し代を確保して、ベースハウジング内部にカフ帯を必要とされる長さだけ自由に繰り出せるようにしており、しかも、繰り出しながらカフ帯には引き出し方向に引張力を作用させるようにしているので、腕の太い人の場合も、適正長さに調整しながらカフ帯を巻き付けることができる。また、ストッパの作用により、繰り出し代以上にはカフ帯をベースハウジング外部に引き出さないように制限しているので、ベースハウジング内部に常に基本的な長さのカフ帯を湾曲状態のまま確保しておくことができる。従って、可動ハウジングのスライドによってカフ帯が無理に引っ張られることがなく、カフ帯が、中間部の湾曲形状を保ちながら腕に巻き付いていくことになる。また、血圧測定時には、ロック手段により、必要な分だけ繰り出した長さの位置でカフ帯の基端部をロックするので、エア導入に引きずられてカフ帯が更に余分に繰り出されてしまうという問題もない。
【００１６】
請求項３の発明によれば、カフ帯の中間部に、カフ帯の外周側に位置させて可撓性シートよりなるカフスプリングを設けたので、腕に巻き付けた状態でのカフ帯へのエア導入による反力を、カフスプリングで確実に受けることができる。また、カフスプリングの基端部に前記ストッパを設けたので、カフスプリングがベースハウジング外部に引き出されることがない。このため、カフスプリングの弾性力を十分に、カフ帯を湾曲状態に保持する力として発揮させることができる。
【００１７】
請求項４の発明によれば、可動ハウジングを閉位置にロックすると同時にカフ帯の基端部を、それ以上繰り出しできないようにロックすることができる。従って、カフ帯を固定するための特別な操作が全く不要である。
【００１８】
請求項５の発明によれば、ベースハウジング内に側方から腕を挿入して、載せ台にセットすることができるから、挿入がたやすくできる。また、載せ台の下側を通して、カフ帯の基端部に確保した繰り出し代に相当する部分をベースハウジング外部に引き出しているので、邪魔にならない。
【００１９】
請求項６の発明によれば、ガイドレールで案内しながら可動ハウジングを動かすことができるので、可動ハウジングのスライドをスムーズに行うことができる。
【００２０】
請求項７の発明によれば、可動ハウジングをモータで開閉するようにしたので、腕をベースハウジングの中にセットしてスイッチをオンするだけで、カフ帯を適正に巻き付けることができ、その状態で血圧の測定を行うことが可能となる。
【００２１】
請求項８の発明によれば、モータと可動ハウジングの間にウォーム歯車機構を介在させて、ウォーム歯車機構でハウジングロック機構を兼ねるようにしたので、別にハウジングロック機構を設ける必要がない。
【発明を実施するための最良の形態】
【００２２】
以下、本発明の実施形態を図面を参照して説明する。
図１は実施形態の血圧計の構成及び動作説明のための腕の挿入方向から見た正面図であり、（ａ）は初期（不使用時）の状態、（ｂ）〜（ｄ）は動作途中及び血圧測定に入ったときの状態を示す図、図２（ｅ）〜（ｈ）は測定完了から動作終了までの動作説明図である。また、図３は同実施形態の血圧計の要部を模式的に示す図である。
【００２３】
この血圧計は、血圧測定に必要なエアポンプ、減圧バルブ、センサ、電子回路等の測定要素５０を装備した装置本体１と、この装置本体１に固定的に設けられ、側面（上面でもよい）が開口しその開口面から腕Ｍを中に挿入し得る半円筒状のベースハウジング３と、不使用時にベースハウジング３に沿って収容され、使用時にベースハウジング３の周方向に沿ってスライドして、自身の先端１０ａがベースハウジング３の周方向の基端部３ａに到達することにより、前記開口面を閉じてベースハウジング３と共に円筒状のハウジング５を形成する半円筒状の可動ハウジング１０と、可動ハウジング１０のスライド方向の先端１０ａに自身の先端部１２ａが固定され、中間部が拡径方向に弾性付勢されることで可動ハウジング１０の内周に沿って湾曲状に配されると共に、基端部１２ｂがベースハウジング３の基端部３ａの近傍に血圧測定時に固定されるカフ帯１２と、を具備している。
【００２４】
図３に模式的に示すように、カフ帯１２の基端部１２ｂには、ベースハウジング３内部へのカフ帯１２の必要長の繰り出しを可能にする繰り出し代１２ｃが確保されており、その繰り出し代１２ｃの部分が、ベースハウジング３の基端部３ａの近傍を経由してベースハウジング３外部に引き出されている。そして、その引き出し端に、繰り出し方向Ｄと反対方向Ｅにカフ帯１２を引っ張ることでカフ帯１２に引張力を作用させる引張機構４０が設けられている。この引張機構４０としては、例えば、バネによって巻き取り方向に付勢された巻き取りローラが使用されており、この巻き取りローラの外周にカフ帯１２の引き出し端を巻き付けることにより、カフ帯１２に対して常にテンションが与えられている。
【００２５】
なお、図１（ｃ）に示すように、ベースハウジング３の内底部には、腕Ｍを載せる載せ台２が設けられており、その載せ台２の下側を通して、カフ帯１２の基端部１２ｂに設けた繰り出し代１２ｃの部分が、ベースハウジング３の外部に引き出され、引張機構４０を構成する巻き取りローラに巻かれている。従って、腕Ｍを載せるときにカフ帯１２の基端部１２ｂが邪魔にならない。
【００２６】
また、カフ帯１２の基端部１２ｂには、図３に示すように、引張機構４０による繰り出し代１２ｃ以上のカフ帯１２のベースハウジング３外部への引き出し（即ち、巻き取りローラによる巻き取り）を制限するストッパ１２ｓと、血圧測定時に、必要な分だけ繰り出した長さの位置でカフ帯１２の基端部１２ｂをロックするカフ帯ロック機構（ロック手段）１６とが設けられている。
【００２７】
このカフ帯ロック機構１６は、可動ハウジング１０を閉位置にロックするハウジングロック機構１５〔図１（ｃ）参照〕に連動してカフ帯１２の基端部１２ｂをロックするものとして構成されている。
【００２８】
また、カフ帯１２の中間部には、該中間部を拡径方向に弾性付勢する手段として、可撓性シートよりなるカフスプリング２０が設けられている。このカフスプリング２０は、カフ帯１２の主要素である空気袋２１の外周側に配置されており、その基端部に、前述のベースハウジング３外部へのカフ帯１２の繰り出し代１２ｃ以上の引き出しを制限するストッパ１２ｓが設けられている。
【００２９】
また、ベースハウジング３には、可動ハウジング１０のスライドをガイドするためのガイドレール３ｂが設けられており、可動ハウジング１０に設けたガイド部１１がそれに案内されるようになっている。また、装置本体１には、図１（ｂ）に示すように、可動ハウジング１０を開閉駆動するためのモータ３２が設けられており、このモータ３２の回転軸に取り付けたギヤ３２ａが、可動ハウジング１０側のラックギヤ３１に噛み合うことで、モータ３２の回転により可動ハウジング１０が周方向にスライドするようになっている。
【００３０】
次に動作を説明する。
この血圧計で血圧測定を行う場合、図１（ａ）のように、被験者は、腕Ｍを半円筒状のベースハウジング３の側面開口から中に挿入して載せ台２の上に載せる。そして、スタートスイッチ（図示略）を押す。そうすると（ｂ）の矢印Ａで示す方向に、モータ３２の力で可動ハウジング１０がスライドして、（ｃ）のようにベースハウジング３の開口を閉じる。その動作によって同時に、矢印Ｂ、Ｃのようにカフ帯１２が腕Ｍに巻き付いて締まる。
【００３１】
この際、カフ帯１２の中間部がカフスプリング２１（図３参照）によって湾曲形状に保持されていること、また、カフ帯１２にテンションがかけられていることにより、可動ハウジング１０の回転スライドに応じてカフ帯１２が、無理に引っ張られることなく、湾曲したまま縮径して腕Ｍに巻き付いていくことになる。
【００３２】
即ち、カフ帯１２の基端部１２ｂには繰り出し代１２ｃが確保され、ベースハウジング３の内部にカフ帯１２を必要とされる長さだけ自由に繰り出せるようになっており、しかも、繰り出しながらカフ帯１２に引張機構４０により常に引張力を作用させるようになっているので、腕Ｍの太い人の場合にも、適正長さに調整しながらカフ帯１２を巻き付けることができる。
【００３３】
また、繰り出し前の段階においては、ストッパ１２ｓの作用により、繰り出し代１２ｃ以上にカフ帯１２がベースハウジング３外部に引き出されないようになっているので、ベースハウジング３内部に常に基本的な長さのカフ帯１２が湾曲状態のまま確保されている。従って、上述のように、可動ハウジング１０の回転スライドによって、カフ帯１２が無理に引っ張られることがなく、湾曲形状を保ちながら、安定した状態で腕Ｍに巻き付いていくことになる。
【００３４】
このようにカフ帯１２を腕Ｍを巻き付けながら、可動ハウジング１０が閉じ位置に到達することにより、ハウジングロック機構１５が作動して、可動ハウジング１０を閉位置にロックする。同時に、カフ帯ロック機構１６が連動して動作することにより、カフ帯１２の基端部１２ｂをロックする。
【００３５】
次いで、この状態でカフ帯１２に加圧エアが導入されて加圧が行われ、その後、図２（ｅ）のように減圧過程に移行して血圧測定が行われ、結果が表示される。その後は、（ｆ）のようにカフ帯１２が弛められつつ、（ｇ）のように可動ハウジング１０が初期位置にスライドし、カフ帯１２も元の位置に戻る。そして、（ｈ）のように最終的に可動ハウジング１０が開くことで、動作が終了する。
【００３６】
以上のように、この血圧計は、腕Ｍを半円筒状のベースハウジング３の側面開口から中に挿入し、可動ハウジング１０をスライドさせてベースハウジング３の開口を閉じれば、その動作によって同時にカフ帯１２を腕に巻き付けることができるので、従来のように円筒状のハウジングの中に通す場合と違って、腕Ｍを挿入しやすい。また、開いた状態のベースハウジング３に腕Ｍをセットしてから可動ハウジング１０を閉じる形式であるため、途中の太さに関係なく腕Ｍを挿入することができる。また、開放した状態でベースハウジング３に腕Ｍをセットできるから、上から見ながら腕Ｍの位置を決めることができ、その状態で可動ハウジング１０を閉じることにより、測定するのに最も適切な位置に腕Ｍをセットすることが容易にできる。
【００３７】
また、ガイドレール３ｂで案内しながら可動ハウジング１０を動かすことができるので、可動ハウジング１０のスライドをスムーズに行うことができるし、可動ハウジング１０をモータ３２で開閉するようにしているので、腕Ｍをベースハウジング３の中にセットしてスイッチをオンするだけで、カフ帯１２を適正に巻き付けることができ、その状態で血圧の測定を行うことができる。
【００３８】
また、この血圧計では、血圧測定時にカフ帯ロック機構１６により、必要な分だけ繰り出した長さの位置でカフ帯１２の基端部１２ｂをロックするので、エア導入に引きずられてカフ帯１２が更に余分に繰り出されてしまうようなこともない。また、カフスプリング２１が、腕Ｍに巻き付けた状態でのカフ帯１２へのエア導入による反力を確実に受けるので、少ないエア導入量で血圧測定を正確に行うことができる。また、カフスプリング２１の基端部に前記ストッパ１２ｓを設けているので、カフプリング２１がベースハウジング３外部に引き出されるようなことがなく、このため、カフスプリング２１の弾性力を最大限に、カフ帯１２を湾曲状態に保持する力として利用することができる。
【００３９】
また、可動ハウジング１０を閉位置にロックすると同時に、それと連動してカフ帯１２の基端部１２ｂがロックされるので、カフ帯１２を固定するための特別な操作が全く不要である。
【００４０】
なお、上記実施形態では、モータ３２の回転軸に取り付けたギヤ３２ａを可動ハウジング１０側のラックギヤ３１に噛み合わせた場合を示したが、モータ３２と可動ハウジング１０との間の動力伝達をウォーム歯車機構で行うようにすれば、その動力伝達の不可逆性により、当該ウォーム歯車機構で可動ハウジング１０を閉位置にロックするハウジングロック機構を兼ねることができる。そうすれば、別にハウジングロック機構を設ける必要がない。ただし、その場合は、カフ帯１２の基端部１２ｂをロックする手段を、独立に動作するように構成する必要がある。
【００４１】
また、上記実施形態では、可動ハウジング１０のスライドをモータ３２で行う場合を示したが、手動で行ってもよい。
【００４２】
また、上記実施形態では、カフ帯１２の基端部１２ｂに繰り出し代１２ｃを確保し、引張機構４０で引張力をかけながら必要長さだけカフ帯１２を自由に繰り出せるようにした場合（腕の太さの違いに広い範囲で対応できる場合）を示したが、図４に示す例のように、最初から対象となる腕Ｍの太さをある程度に絞り込んでおき、それに応じてカフ帯１２の長さを固定的に決めておいてもよい。その場合は、予めカフ帯１２の基端部１２ｂをベースハウジング３の基端部３ａに固定しておき、後からはカフ帯１２を繰り出さないように構成しておく。このように構成した場合は、腕Ｍの太さに対する汎用性は劣ることになるが、構成の簡略化が図れる。この場合は、腕の太さの違いには、カフ帯１２に導入するエア量で対処することになる。
【図面の簡単な説明】
【００４３】
【図１】本発明の実施形態の血圧計の構成及び動作説明図のための腕の挿入方向から見た正面図であり、（ａ）は初期（不使用時）の状態、（ｂ）〜（ｄ）は動作途中及び血圧測定に入ったときの状態を示す図である。
【図２】（ｅ）〜（ｈ）は測定完了から動作終了までの動作説明図である。
【図３】同実施形態の要部構成を模式的に示す図であり、（ａ）は可動ハウジングを開位置に保持している状態、（ｂ）は可動ハウジングを閉位置に操作した状態をそれぞれ示す正面図である。
【図４】本発明の別の実施形態の要部構成を模式的に示す図であり、（ａ）は可動ハウジングを開位置に保持している状態、（ｂ）は可動ハウジングを閉位置に操作した状態をそれぞれ示す正面図である。
【符号の説明】
【００４４】
２  載せ台
３  ベースハウジング
３ａ  基端部
３ｂ  ガイドレール
５  円筒状のハウジング
１０  可動ハウジング
１０ａ  先端
１２  カフ帯
１２ａ  先端部
１２ｂ  基端部
１２ｃ  繰り出し代
１２ｓ  ストッパ
１５  ハウジングロック機構
１６  カフ帯ロック機構（ロック手段）
２０  カフスプリング
３２  モータ
４０  引張機構
Ｍ  腕
【図１】
2006305142.tif 000003
【図２】
2006305142.tif 000004
【図３】
2006305142.tif 000005
【図４】
2006305142.tif 000006